(57)【要約】  装置またはシステムは：制御構成要素および制御された非照明構成要素を含み；制御構成要素は、その操作を制御するために、制御された構成要素に動作可能に接続し；前記制御構成要素は：（ｉ）その場所のリアルタイムの占有状態および前記場所までのそれぞれの距離を示す占有データを表す無線信号を受信するための無線受信機；（ｉｉ）少なくとも１つの制御信号または電力を制御された構成要素に出力する制御インターフェース；および、（ｉｉｉ）前記占有データに基づき制御された構成要素を制御するために、制御信号を選択的に出力するか、あるいは、制御された構成要素への電力供給を制御するように、前記占有データを処理するよう構成された制御装置、を備える。【選択図】図４
2016502308.tif 000002
【特許請求の範囲】
【請求項１】
制御構成要素および制御された非照明構成要素を含み、制御構成要素が、その操作を制御するために、制御された構成要素に動作可能に接続されている装置またはシステムであって、
制御構成要素が：
（ｉ）その場所のリアルタイムの占有状態および前記場所までのそれぞれの距離を示す占有データを表す無線信号を受信するための無線受信機；
（ｉｉ）少なくとも１つの制御信号または電力を制御された構成要素に出力する制御インターフェース；および、
（ｉｉｉ）前記占有データに基づき、制御された構成要素を制御するために、制御信号を選択的に出力するか、あるいは、制御された構成要素への電力供給を制御するように、前記占有データを処理するよう構成された制御装置；
を備えることを特徴とする装置またはシステム。
【請求項２】
制御装置が、前記占有データおよび前記占有状態に対する各経過時間に基づき、制御された構成要素を制御するために、前記制御信号を選択的に出力するか、あるいは、前記制御された構成要素への電力供給を制御するように、前記占有データを処理するよう構成される請求項１に記載の装置またはシステム。
【請求項３】
装置またはシステムが配電盤であり、前記制御構成要素が、配電盤に接続された少なくとも１つの装置への電力の供給を制御する請求項１または２に記載の装置またはシステム。
【請求項４】
制御装置が、前記占有データに基づき、制御された構成要素により、電力消費を制御するよう構成されている請求項１〜３のいずれか１項に記載の装置制御ノード。
【請求項５】
制御された構成要素の制御が、制御された構成要素を止めることを含む請求項４に記載の装置制御ノード。
【請求項６】
制御された構成要素の制御が、制御された構成要素を低電力状態に置くことを含む請求項４に記載の装置制御ノード。
【請求項７】
ビル内に分配された、複数のアドレス指定可能な装置および／またはシステムの操作を制御するよう構成された、ビル内で共通または集中制御されたシステムとの通信のための第１の通信インターフェース；
センサーノードの無線ピアツーピアネットワークとの通信のための第２の通信インターフェースであって、その場所のリアルタイムの占有状態および前記場所までのそれぞれの距離を示す占有データを表す無線信号を受信するための無線受信機を含む第２の通信インターフェース；
制御信号または電力をそこに接続された装置に出力するための装置制御インターフェース；および
前記占有データに基づき、装置を制御するために、前記制御信号を選択的に出力するか、あるいは、前記装置への電力供給を制御するように、前記占有データを処理するよう構成された制御装置；
を備えることを特徴とするインターフェースノード。
【請求項８】
無線ピアツーピアネットワークの少なくとも１つのノードから無線信号を受信するための無線受信機であって、無線信号がそれぞれの場所の占有状態および前記場所までのそれぞれの距離を示す無線受信機；
共通または集中制御されたシステムと通信するための通信インターフェース；および
アドレス指定可能なシステムのための対応するデータを生成し、対応するデータをアドレス指定可能なインターフェースを介してアドレス指定可能なシステムに送るよう、前記占有データを処理するよう構成された制御装置；
を備えることを特徴とするインターフェースノード。
【請求項９】
共通または集中制御されたシステムが、ビル管理システム、空調システム、または、警告システムを含む請求項７または８に記載のインターフェースノード。
【請求項１０】
サーモスタットを更に含み、アドレス指定可能なインターフェースが空調システムに接続されており、温度および占有状態に基づき空調システムの局所制御を可能とする請求項７〜９のいずれか１項に記載のインターフェースノード。
【請求項１１】
無線ネットワークのノードが１つ以上の煙探知機を含み、アドレス指定可能なインターフェースが、インターフェースノードによって受信されるとともに煙検知状態を表す無線信号に基づき始動する火災警報システムに接続されている請求項７〜１０のいずれか１項に記載のインターフェースノード。
【請求項１２】
対応する通信インターフェースを介して、共通または集中制御されたシステムから受信したデータに基づき、無線信号を、無線ピアツーピアネットワークの少なくとも１つのノードに送信するための無線送信機を更に含む請求項７〜１１のいずれか１項に記載のインターフェースノード。
【請求項１３】
無線ピアツーピアネットワークが各光源を制御するよう構成されたセンサーノードを含み、インターフェースノードの制御装置が、センサーノードが対応する方法で各光源を制御するよう、無線送信機がセンサーノードの少なくとも１つに無線信号を送信するように、共通または集中制御されたシステムから受信したトリガー信号の受領に応答するよう構成されている請求項１２に記載のインターエースノード。
【請求項１４】
トリガー信号は警告信号を表し、センサーノードが前記警告を占有者に示すように各光源を制御する請求項１３に記載のインターフェースノード。
【請求項１５】
センサーノードが、占有者を対応する出口にガイドするための１つ以上の出口通路を選択的に照明するように各光源を制御する請求項１４に記載のインターフェースノード。
【請求項１６】
無線ピアツーピアネットワークが前記占有データを生成するよう構成されたセンサーノードを含み、インターフェースノードの制御装置が、センサーノードが対応する操作モードに入るよう、無線送信機が無線信号を少なくとも１つのセンサーノードに送信するように、共通または集中制御されたシステムから受信したモード変更信号の受領に応答するよう構成されている請求項７〜１５のいずれか１項に記載のインターフェースノード。
【請求項１７】
操作モードはセキュリティーモードを含み、センサーノードが占有データをインターフェースノードに送り、侵入者の存在が検知され共通または集中制御されたシステムに送られる請求項１６に記載のインターフェースノード。
【請求項１８】
センサーノードの少なくとも１つの無線ピアツーピアネットワーク；
対応するアドレス指定可能な構成要素との通信のために構成された共通または集中制御された構成要素；および
集中制御された構成要素と無線ピアツーピアネットワークのセンサーノードとの間の通信のためのアドレス指定可能なインターフェースノード；
を備えることを特徴とするハイブリッド制御システム。
【請求項１９】
各場所のリアルタイムの占有状態および前記場所までのそれぞれの距離を示す占有データを表す無線信号を受信するための無線受信機；
無線信号を送信するための送信機；
そこに接続された装置に制御信号または電力を出力するためのインターフェース；
空気品質センサー、煙探知機およびサーモスタットのいずれか１つ；および
前記占有データに基づき装置またはシステムを制御し、無線送信機が、空気品質センサー、煙探知機および／またはサーモスタットの出力を示す無線信号を送信するために、前記装置に、前記制御信号を選択的に出力し、または、電力供給を制御するよう、前記占有データを処理するよう構成された制御装置；
を備えることを特徴とする装置制御ノード。
【請求項２０】
各場所のリアルタイムの占有状態および前記場所までのそれぞれの距離を示す占有データを表す無線信号を受信するための無線受信機と；無線信号を送信するための送信機と；そこに接続された装置に制御信号または電力を出力するためのインターフェースと；前記占有データに基づき装置を制御するために、前記装置に、前記制御信号を選択的に出力し、または、電力供給を制御するよう、前記占有データを処理するよう構成された制御装置と；を有する装置制御ノードにおいて、
前記ノードにおいて、装置制御コマンドおよび装置識別子を受信する工程；
装置識別子が装置制御ノードに接続された装置に対応するかどうかを決定する工程；および
装置識別子が装置制御ノードに接続された装置に対応する場合のみ、装置制御コマンドに従って、装置制御ノードに接続した装置を制御する工程；
を備えることを特徴とする装置制御プロセス。
【請求項２１】
装置識別子が前記装置のタイプを識別する請求項２０に記載の装置制御プロセス。
【請求項２２】
装置識別子が前記装置を一意的に識別する請求項２０または２１に記載の装置制御プロセス。
【請求項２３】
前記装置の制御工程が、装置を電源オフとすることまたは装置を低電力状態に置くことを含む請求項２０〜２２のいずれか１項に記載の装置制御プロセス。
【請求項２４】
他の装置が関連する装置を制御することを可能とするように、装置制御ノードの無線送信機を介して、装置制御コマンドおよび装置識別子を送る工程を含む請求項２０〜２３のいずれか１項に記載の装置制御プロセス。
【発明の詳細な説明】
【技術分野】
【０００１】
本発明は、装置制御ノードおよびインターフェースノードに関する。
【背景技術】
【０００２】
装置およびビルサービスシステムは、通常、ビル居住者にサービスを提供するために、インストールされている。これらの装置およびシステムは、占有の密度およびその時間依存性を含む、近くの人の存在（すなわち占有性）の認識に基づいて、自動的にそれらの操作を制御する利益がある。先行技術のエネルギー効率化照明システムの状態は、通常占有センサーを利用して、共通または中央集中化システムが、それらの操作を緩和して制御することを可能とする。これらのシステムのための特定の課題は、センサーおよび装置のシステムの仮想マップを作成して維持し、あるネットワークから別のものにマップを置き換えることの必要性にある。
【０００３】
アドレス指定能力は、ほとんどの分散エンジニアリング・システムの核となる概念である。簡単に言えば、それは、通常の制御および／または質問のため、ネットワーク上の他の装置から装置を識別するように、集中制御を可能とする。アドレス指定能力は、以下の項目を含む、抽象化の種々のレベルで、いくつかの方法で達成される：
（ｉ）それは、特定の配線を参照することによって配線接続することができる（例えば、特定の照明器具に接続された光スイッチ、または、４つの明かりのバンクを制御する統合スイッチを備える運動センサー）；
（ｉｉ）それは、中央処理装置が検知するスイッチを閉じることで警告メッセージを配信する煙検知器のための一般的な方法で−ステータスを提供するための装置に、二線式インターフェースを使用して、配線接続することができる；
（ｉｉｉ）それは、コンピュータのＩＰアドレスと近似のものとすることができる；または、
（ｉｖ）それは、ＤＩＰスイッチによってセットされ、デイジーチェーン接続のネットワーク上に存在することができる。
【０００４】
一般的に言って、より洗練されたシステムは通信プロトコルを必要とし、ネットワーク上の装置の各々における具体的な詳細を用いてプログラムされることが必要な共通または中央マイクロプロセッサベースの制御システムは、とりわけ、以下の構成を含む：
（ｉ）ビルディングプラン上で一般的にマッピングされた装置の物理的な位置、または、例えば、特定のセンサーの出力に基づいてスイッチングされるべき照明器具などの、ネットワーク上の異なる装置間の少なくとも特別な関係；
（ｉｉ）装置の製造元とモデル；
（ｉｉｉ）装置との通信に使用される通信プロトコル；
（ｉｖ）装置のファームウェア・バージョン；および
（ｖ）装置のコマンドセット。
【０００５】
アドレス指定可能なシステムの良い例は、市販の空調システムである。これは、通常、冷水を提供するための冷却装置、熱水を提供するためのボイラー、パイプのシステム、バルブ、および、各々がファンを有する分散型ファンコイルユニットに水を供給するパイプシステム（およびそれはファン、ダンパー、ダクトなどのそれ自身の中央制御システムを有している）、を含む、機器の大規模集中型の部品から構成される。通常、フロアー毎にいくつかあるいは数十のファンコイルユニットと、各ファンコイルユニットのためのサーモスタットと、がある。ビル管理システム（ＢＭＳ）は、熱水または冷水および気流の必要な量を各端末装置に提供するために、システム全体の多数のセンサーの各々から情報を収集し、システムの需要に応じて各装置を制御する。各装置は、システム上のアドレスを有し−システムは、どのファンコイルユニットがサーモスタットの読み取りに対応するのか、および、どのバルブが熱水または冷水の必要量をそのユニットに供給するよう制御するのか、を知る必要がある。次に、冷却装置およびボイラーは、ビルの組み合わされた需要に対応しなければならず、それらはポンプなどから異なる制御信号を必要とする。
【０００６】
明らかに、そのようなシステムは、通信および制御プロセスの周りに重要なインフラストラクチャー、そして実際はこのようなシステムディマンドアドレス指定可能性を必要とし−冷却装置は、単に、メッセージがボイラーよりも冷却装置を意味しているかどうかを知る必要がある。同様に、消防システムは、ビル内の異なる煙探知機間の識別を必要とし−それらは、単に、各装置がどのように互いに関連するのかを知らなければならない。
【０００７】
そのため、これらのシステムは、システム内にプログラムされる必要がある、ネットワーク上の装置の詳細なマップを必要とし−それは、簡単な仕事ではなく、異なるタイプの装置間のプロトコル変換を必要とし、多くの他の複雑性もある。従って、そのようなシステムは、設計、インストール、設定および維持を決定するために、複雑で高価である。
【０００８】
先行技術の１つ以上の困難性を軽減する、装置またはシステム、インターフェースノード、ハイブリッド制御システム、または、装置制御ノードを提供すること、または、少なくとも有益な別の手段を提供すること、が期待される。
【発明の概要】
【０００９】
本発明のいくつかの実施例に従えば、
制御構成要素および制御された非照明構成要素を含み、制御構成要素が、その操作を制御するために、制御された構成要素に動作可能に接続されている装置またはシステムであって、
制御構成要素が：
（ｉ）その場所のリアルタイムの占有状態および前記場所までのそれぞれの距離を示す占有データを表す無線信号を受信するための無線受信機；
（ｉｉ）少なくとも１つの制御信号または電力を制御された構成要素に出力する制御インターフェース；および、
（ｉｉｉ）前記占有データに基づき、制御された構成要素を制御するために、制御信号を選択的に出力するか、あるいは、制御された構成要素への電力供給を制御するように、前記占有データを処理するよう構成された制御装置；
を備えることを特徴とする装置またはシステムが提供される。
【００１０】
いくつかの実施例においては、制御装置が、前記占有データおよび前記占有状態に対する各経過時間に基づき、制御された構成要素を制御するために、前記制御信号を選択的に出力するか、あるいは、前記制御された構成要素への電力供給を制御するように、前記占有データを処理するよう構成される。
【００１１】
いくつかの実施例においては、装置またはシステムが配電盤であり、前記制御構成要素が、配電盤に接続された少なくとも１つの装置への電力の供給を制御する。
【００１２】
いくつかの実施例においては、制御装置が、前記占有データに基づき、制御された構成要素により、電力消費を制御するよう構成されている。
【００１３】
いくつかの実施例においては、制御された構成要素の制御が、制御された構成要素を止めることを含む。
【００１４】
いくつかの実施例においては、制御された構成要素の制御が、制御された構成要素を低電力状態に置くことを含む。
【００１５】
本発明のいくつかの実施例に従えば、
ビル内に分配された、複数のアドレス指定可能な装置および／またはシステムの操作を制御するよう構成された、ビル内で共通または集中制御されたシステムとの通信のための第１の通信インターフェース；
センサーノードの無線ピアツーピアネットワークとの通信のための第２の通信インターフェースであって、その場所のリアルタイムの占有状態および前記場所までのそれぞれの距離を示す占有データを表す無線信号を受信するための無線受信機を含む第２の通信インターフェース；
制御信号または電力をそこに接続された装置に出力するための装置制御インターフェース；および
前記占有データに基づき、装置を制御するために、前記制御信号を選択的に出力するか、あるいは、前記装置への電力供給を制御するように、前記占有データを処理するよう構成された制御装置；
を備えることを特徴とするインターフェースノードが提供される。
【００１６】
本発明のいくつかの実施例に従えば、
無線ピアツーピアネットワークの少なくとも１つのノードから無線信号を受信するための無線受信機であって、無線信号がそれぞれの場所の占有状態および前記場所までのそれぞれの距離を示す無線受信機；
共通または集中制御されたシステムと通信するための通信インターフェース；および
アドレス指定可能なシステムのための対応するデータを生成し、対応するデータをアドレス指定可能なインターフェースを介してアドレス指定可能なシステムに送るよう、前記占有データを処理するよう構成された制御装置；
を備えることを特徴とするインターフェースノードが提供される。
【００１７】
いくつかの実施例においては、共通または集中制御されたシステムが、ビル管理システム、空調システム、または、警告システムを含む。
【００１８】
いくつかの実施例においては、インターフェースノードがサーモスタットを更に含み、アドレス指定可能なインターフェースが空調システムに接続されており、温度および占有状態に基づき空調システムの局所制御を可能とする。
【００１９】
いくつかの実施例においては、無線ネットワークのノードが１つ以上の煙探知機を含み、アドレス指定可能なインターフェースが、インターフェースノードによって受信されるとともに煙検知状態を表す無線信号に基づき始動する火災警報システムに接続されている。
【００２０】
いくつかの実施例においては、インターフェースノードが、対応する通信インターフェースを介して、共通または集中制御されたシステムから受信したデータに基づき、無線信号を、無線ピアツーピアネットワークの少なくとも１つのノードに送信するための無線送信機を更に含む。
【００２１】
いくつかの実施例においては、無線ピアツーピアネットワークが各光源を制御するよう構成されたセンサーノードを含み、インターフェースノードの制御装置が、センサーノードが対応する方法で各光源を制御するよう、無線送信機がセンサーノードの少なくとも１つに無線信号を送信するように、共通または集中制御されたシステムから受信したトリガー信号の受領に応答するよう構成されている。
【００２２】
いくつかの実施例においては、トリガー信号は警告信号を表し、センサーノードが前記警告を占有者に示すように各光源を制御する。
【００２３】
いくつかの実施例においては、センサーノードが、占有者を対応する出口にガイドするための１つ以上の出口通路を選択的に照明するように各光源を制御する。
【００２４】
いくつかの実施例においては、無線ピアツーピアネットワークが前記占有データを生成するよう構成されたセンサーノードを含み、インターフェースノードの制御装置が、センサーノードが対応する操作モードに入るよう、無線送信機が無線信号を少なくとも１つのセンサーノードに送信するように、共通または集中制御されたシステムから受信したモード変更信号の受領に応答するよう構成されている。
【００２５】
いくつかの実施例においては、操作モードはセキュリティーモードを含み、センサーノードが占有データをインターフェースノードに送り、侵入者の存在が検知され共通または集中制御されたシステムに送られる。
【００２６】
本発明のいくつかの実施例に従えば、
センサーノードの少なくとも１つの無線ピアツーピアネットワーク；
対応するアドレス指定可能な構成要素との通信のために構成された共通または集中制御された構成要素；および
集中制御された構成要素と無線ピアツーピアネットワークのセンサーノードとの間の通信のためのアドレス指定可能なインターフェースノード；
を備えることを特徴とするハイブリッド制御システムが提供される。
【００２７】
本発明のいくつかの実施例に従えば、
各場所のリアルタイムの占有状態および前記場所までのそれぞれの距離を示す占有データを表す無線信号を受信するための無線受信機；
無線信号を送信するための無線送信機；
そこに接続された装置に制御信号または電力を出力するためのインターフェース；
空気品質センサー、煙探知機およびサーモスタットのいずれか１つ；および
前記占有データに基づき装置またはシステムを制御し、無線送信機が、空気品質センサー、煙探知機および／またはサーモスタットの出力を示す無線信号を送信するために、前記装置に、前記制御信号を選択的に出力し、または、電力供給を制御するよう、前記占有データを処理するよう構成された制御装置；
を備えることを特徴とする装置制御ノードが提供される。
【００２８】
本発明のいくつかの実施例に従えば、
各場所のリアルタイムの占有状態および前記場所までのそれぞれの距離を示す占有データを表す無線信号を受信するための無線受信機と；無線信号を送信するための送信機と；そこに接続された装置に制御信号または電力を出力するためのインターフェースと；前記占有データに基づき装置を制御するために、前記装置に、前記制御信号を選択的に出力し、または、電力供給を制御するよう、前記占有データを処理するよう構成された制御装置と；を有する装置制御ノードにおいて、
前記ノードにおいて、装置制御コマンドおよび装置識別子を受信する工程；
装置識別子が装置制御ノードに接続された装置に対応するかどうかを決定する工程；および
装置識別子が装置制御ノードに接続された装置に対応する場合のみ、装置制御コマンドに従って、装置制御ノードに接続した装置を制御する工程；
を備えることを特徴とする装置制御プロセスが提供される。
【００２９】
いくつかの実施例においては、装置識別子が前記装置のタイプを識別する。
【００３０】
いくつかの実施例においては、装置識別子が前記装置を一意的に識別する。
【００３１】
いくつかの実施例においては、前記装置の制御工程が、装置を電源オフとすることまたは装置を低電力状態に置くことを含む。
【００３２】
いくつかの実施例においては、他の装置が関連する装置を制御することを可能とするように、装置制御ノードの無線送信機を介して、装置制御コマンドおよび装置識別子を送る工程を含む。
【００３３】
また、ここでは、
各場所のリアルタイムの占有状態および前記場所までのそれぞれの距離を示す占有データを表す無線信号を受信するための無線受信機；
制御信号または電力をそこに接続された装置に出力するためのインターフェース；および、
前記占有状態およびそれぞれの距離に基づき装置を制御するために、前記制御信号を選択的に出力するか、あるいは、前記装置への電力供給を制御するように、前記占有データを処理するよう構成された制御装置；
を備える装置制御ノードが開示されている。
【００３４】
制御装置は、前記占有データ、前記それぞれの距離および前記占有状態に対する各経過時間に基づき装置を制御するために、前記制御信号を選択的に出力するか、あるいは、前記装置への電力供給を制御するように、前記占有データを処理するよう構成されることができる。
【００３５】
装置制御ノードは、制御される装置の構成要素とすることができる。
【００３６】
装置制御ノードは、制御または電力インターフェースを介して装置に接続されることもできる。
【００３７】
装置制御ノードは、配電盤の構成要素とすることができる。
【００３８】
制御装置は、前記占有状態およびそれぞれの距離に基づき、装置により、電力消費を制御するよう構成されることができる。
【００３９】
装置の制御は、装置を止めることを含むことができる。
【００４０】
装置の制御は、装置を低電力状態に置くことを含むことができる。
【００４１】
装置制御ノードは、装置制御ノードをアドレス指定可能なシステムに接続するためのアドレス指定可能なインターフェースを含むことができる。
【００４２】
アドレス指定可能なシステムは、ビル管理システム、空調システムまたは警告システムとすることができる。
【００４３】
また、ここでは、
無線ピアツーピアネットワークの少なくとも１つのノードから無線信号を受信するための無線受信機であって、無線信号がそれぞれの場所の占有状態および前記場所までのそれぞれの距離を示す無線受信機；
アドレス指定可能なシステムと通信するためのアドレス指定可能なインターフェース；および
アドレス指定可能なシステムのための対応するデータを生成し、対応するデータをアドレス指定可能なインターフェースを介してアドレス指定可能なシステムに送るよう、前記占有データを処理するよう構成された制御装置；
を備えるインターフェースノードが開示されている。
【００４４】
アドレス指定可能なシステムは、ビル管理システム、空調システムまたは警告システムを含むことができる。
【００４５】
インターフェースノードがサーモスタットを更に含むことができ、アドレス指定可能なインターフェースが空調システムに接続されており、温度および占有状態に基づき空調システムの局所制御を可能とする。
【００４６】
無線ネットワークのノードが１つ以上の煙探知機を含み、アドレス指定可能なインターフェースが、インターフェースノードによって受信されるとともに煙検知状態を表す無線信号に基づき始動する火災警報システムに接続されている。
【００４７】
インターフェースノードが、アドレス指定可能なインターフェースを介して、アドレス指定可能なシステムから受信したデータに基づき、無線信号を、無線ピアツーピアネットワークの少なくとも１つのノードに送信するための無線送信機を更に含むことができる。
【００４８】
無線ピアツーピアネットワークが各光源を制御するよう構成されたセンサーノードを含むことができ、インターフェースノードの制御装置が、センサーノードが対応する方法で各光源を制御するよう、無線送信機がセンサーノードの少なくとも１つに無線信号を送信するように、アドレス指摘可能なシステムから受信したトリガー信号の受領に応答するよう構成されることができる。
【００４９】
トリガー信号は警告信号を表すことができ、センサーノードが前記警告を占有者に示すように各光源を制御することができる。
【００５０】
センサーノードが、占有者を対応する出口にガイドするための１つ以上の出口通路を選択的に照明するように各光源を制御することができる。
【００５１】
無線ピアツーピアネットワークが前記占有データを生成するよう構成されたセンサーノードを含むことができ、インターフェースノードの制御装置が、センサーノードが対応する操作モードに入るよう、無線送信機が無線信号を少なくとも１つのセンサーノードに送信するように、アドレス指定可能なシステムから受信したモード変更信号の受領に応答するよう構成されることができる。
【００５２】
操作モードはセキュリティーモードを含むことができ、センサーノードが占有データをインターフェースノードに送り、侵入者の存在が検知されアドレス指定可能なシステムに送られことができる。
【００５３】
また、ここでは、
センサーノードの少なくとも１つの無線ピアツーピアネットワーク；
対応するアドレス指定可能な構成要素との通信のために構成された共通または集中制御された構成要素；および
集中制御された構成要素とセンサーノードとの間の通信のためのアドレス指定可能なインターフェースノード；
を備えることを特徴とするハイブリッド制御システムが開示されている。
【００５４】
記載されたノードおよびシステムは、場所または地理的特性を有し、その環境のリアルタイム占有情報へのアクセス可能で、エネルギーを消費するか占有に応答する、いかなる装置をも可能とする。市場における先行技術は、領域内の装置の行動を管理する、占有センサーまたは占有予測タイマーを利用する。モーションセンサーは、一般的に、配線で接続されてリレーを介してスイッチされるか、または、ネットワークの一部である。そのような先行技術のネットワークアーキテクチャは、そのセンサーの仮想マッピングを要求し、装置の近傍はこの占有情報を利用する。本発明は、国際特許出願Ｎｏ．ＰＣＴ／ＡＵ２０１１／０００４５９、発明の名称「照明装置、方法およびシステム」（以下、「ｐ２ｐ特許出願」として参照する）を、ｐ２ｐ特許出願に記載されたネットワークを介しての全ビル統合を提供する技術の利点を広げるために、ｐ２ｐ特許出願でのシステムによって生成された占有情報クラウドの近くの任意の装置またはシステムにまで広げている。
【００５５】
また、ここでは、リフト（すなわちエレベーター）制御システムが開示されており、リフトのエネルギー消費に対する占有者のリフト待ち時間を減少させるために、ピアツーピア無線ネットワークを介して受信された占有情報に基づき、ビル内の１つ以上のリフト（すなわちエレベーター）を制御する。リフト（すなわちエレベーター）制御システムは、リフトのエネルギー消費に対し、リフトに必要な占有者のリフト待ち時間のバランスをとるよう構成される。
【００５６】
また、ここでは、リフト（すなわちエレベーター）制御プロセスが開示されており、リフト制御プロセスは：
ピアツーピア無線ネットワークを介してリアルタイム占有情報を受信する工程であって、占有情報が、ビルのフロアー上の少なくとも１つのリフトシャフト（すなわちリフトウェル）からのそれぞれの位置での占有状態の一時的な変化を表す、受信工程；
受信した占有情報が、リフトシャフトに向かってビルのフロアー上を１人以上の人がアプローチしていることを表しているかどうかを決定するために、受信した占有情報を処理する処理工程；および
前記処理工程が、受信した占有情報がリフトシャフトに向かって一人以上の人のアプローチを表していると決定した場合のみ、ビルのフロアーにリフトを要請する要請工程；を含んでいる。
【００５７】
このプロセスは、１人以上の人がリフトシャフトに位置しておらずそこにアプローチする人もいないことを示す、更なるリアルタイム占有情報に基づく要求を、含むこともできるしキャンセルすることもできる。
【図面の簡単な説明】
【００５８】
本発明のいくつかの実施例が、添付した図面を参照して、一例として以下に記載される。ここで：
【図１】図１は、占有センサーおよびそれらの間のメッセージの中継を有するセンサーノードの２次元アレイの１次元を示す線図である；
【図２】図２は、空気の品質に基づき空調を制御するために、ＣＯ２センサーおよびそれらの間のメッセージの中継を有するセンサーノードの２次元アレイの１次元を示す線図である；
【図３】図３は、ネットワークの装置制御ノードによって無線ピアツーピアネットワークに接続されたすべての装置の電源を切る「キルスイッチ」機能の使用を示す線図である；
【図４】図４は、装置制御ノードによって無線ピアツーピアネットワークに接続された対応するタイプのすべての装置の電源を選択的に切るための壁面スイッチの使用を示す線図である；および
【図５】図５は、それぞれ、一意的な識別子の自動発生およびセンサーデータに関連する位置を許可する各センサーノードの位置を示す線図およびフロー図である。
【図６】図６は、それぞれ、一意的な識別子の自動発生およびセンサーデータに関連する位置を許可する各センサーノードの位置を示す線図およびフロー図である。
【発明を実施するための形態】
【００５９】
その全体が参照することにより本明細書に組み込まれる、国際特許出願Ｎｏ．ＰＣＴ／ＡＵ２０１１／０００４５９、発明の名称「照明装置、方法およびシステム」（以下、「ｐ２ｐ特許出願」として参照する）は、ピアツーピアマルチホップ無線ネットワーク技術を使用して、センサーノードが互いにコミュニケーションをとる、照明装置およびアーキテクチャを記載している。各センサーノード（一般的にその制御された光源の内部または近傍に位置する）は、他のセンサーノードに無線信号を送信するための無線送信機と、他のセンサーノードからの無線信号を受信するための無線受信機と、対応する検出領域の少なくとも１つの特徴を検出して対応する出力を生成するよう構成された少なくとも１つの検出構成要素と、少なくとも１つの対応する光源を制御するためのインテリジェント制御装置と、を含む。
【００６０】
各センサーノードの制御装置は、（ｉ）検出構成要素の出力、または、（ｉｉ）１つ以上の他のセンサーノードから受信した無線信号、または、（ｉｉｉ）制御装置の内部または制御装置に関連するメモリーに蓄積されたデータ、または、（ｉｖ）上記（ｉ）、（ｉｉ）および（ｉｉｉ）の任意の組み合わせに基づき、その対応する光源を制御するよう構成されている。制御装置は、また、ノードの無線送信機がそれ自身の光源を制御するために、他のセンサーノードによっての使用のための無線信号を送信するよう、構成されている。
【００６１】
ピアツーピアノードのこのシステムは、そのうちのいくつかがｐ２ｐ特許出願に記載されている、先行技術の照明装置を超える、多くの効果を提供する。
【００６２】
ノード制御装置は、製造プロセスの一部として、設置の間あるいは現場で、あるいは、実際に設定後いつでも、センサーノードの振る舞いを要望通りに変更するよう構成あるは再構成することができるため、照明装置のセンサーノードは基盤技術とみなすことができる。ノードを要望通り再構成するこの能力は、システム全体が、強化された機能性を提供して必要に応じて新しい配置および応用をサポートすること、を許容する。特に、センサーノード制御装置は、各ノードがそれ自身の光源を制御するために使用するプロセスやアルゴリズムを変更するようプログラムされるだけでなく、どのようにしてノードがお互いにデータを交換するのか、どのデータを交換するのか、照明または他のものに関連するのかどうか、をもプログラムされる。センサーノードを構成するためのプロセスは、オーストラリア特許出願Ｎｏ．２０１２９０３４７１（「ｐ２ｐ構成特許出願」）に記載されており、その全体は参照することにより本明細書に組み込まれる。
【００６３】
各センサーノードは、製造プロセスの一部としてあるいは設置中に、照明設備または照明器具に装着されるかその内部に搭載され、または、その代わりに、現存する照明設備または照明器具にあと付けされる。
【００６４】
記載された実施例において、各センサーノードは、対応する検出領域中の人間の存在または不存在を示す出力を生成するよう構成された少なくとも１つの検出構成要素を含む。出力はそのためその検出領域の（人間）占有情報を示し、記載の都合上、そのような検出構成要路は、ここでは「占有センサー」（ｐ２ｐ特許出願に記載されているように、それは行動探知機であってもなくてもよく、また、含んでなくてもよい）として参照される。センサーノードは、一般的に（しかし必須ではないが）、フロアーに向けて通常下向きに、それらの占有センサー、無線送信機および無線受信機とともに、オフィスのシーリングや他の設備タイプの装置に設置され、センサーノードから通常下向きに送信される無線信号の部分（通常円錐形の発散ビームの形状である）は、他の近傍のセンサーノードの無線受信機の近くの、検出のためのシーリングに向かって反射または散乱する。記載した実施例において、無線信号は少数の最も近いノードによってのみ受信される短距離（例えば赤外光学）信号であり、いくつかの実施例においては、各ノードが直近のノードで２ノード以上離れたノードではないノードからの無線信号のみを受信するような最も近いノードのみである。この後者の方法は、以下の記載において推測される。
【００６５】
当業者であれば分かるように、そのような配置が直近のノードの信号のみを「受信」するノードの観点で記載されたとき、この配置は、遠く離れた他のノードからの信号は、無線受信機によって実質的に更に処理されない配置を含むことができる、と理解すべきである。例えば、ノードの無線受信機は、その強度がしきい値強度以下である信号を無視するよう構成できる、および／または、以下に記載されるように、制御装置は、強度（制御装置に利用可能な）または信号が直近のノードから受信されたかどうかを評価するために使用される１つ以上の他の基準に基づいて、そのようなノードから受信された信号または対応するデータを落とすか無視するよう構成できる。
【００６６】
図１に線図的に示されているように、占有者１０２を検出すると、（「第１の」）センサーノード１０４は、直近または隣接するセンサーノード１０８（記載の都合上「第２の」センサーノードと参照する）に、無線信号（ここでは、「レベル１」メッセージ１０６と参照する）を送信して、これら第２のノード１０８に、直近センサーノードの１つがその対応する検出領域内に占有者を検出したことを知らせる。それに応じて、第２のセンサーノード１０８の各々は、次に、それ自身の直近センサーノード（記載の都合上「第３の」センサーノード１１２と参照するが、それは実際にはまた第２のセンサーノードおよび第１のセンサーノードのいくつかを含む）に、更なるメッセージ（ここでは「レベル２」のメッセージ１１０と参照する）を送信して、これらの第３のノード１１２の各々に、その第２の近傍の１つが占有者を検出したことを知らせる。これらの第３のセンサーノード１１２の各々は、次に、それ自身の直近（「第４の」）センサーノードに、更なる無線信号（「レベル３」のメッセージ１１４を表す）を送信し、それらに第３の近傍の１つが占有者などを検出したことを知らせる。
【００６７】
各センサーノードはそれを受け取るモードに異なるメッセージを技術的に送信するとはいえ、このプロセスは、中継および転送プロセスとして都合よく記載することができるが、各メッセージ時は、占有性を検出したノードからの空間的な距離を決定または推定するために、各ノードによって使用される占有データを含むことは明らかである。記載された実施例において、この占有データは、ホップカウント、または、ピアツーピアの通信ホップの数または同様にメッセージがピアからピアに中継または転送された回数を表す同様の値、を含んでいる。しかしながら、占有データが、例えば、ＧＰＳセンサーによって決定された空間位置データおよび／または三角形などを含む他の形状をとることができることは、当業者にとって明らかである。この効果的な占有情報の中継およびインクリメント／アップデータは、すべてのセンサーノードが占有性の情報を与えられるまで無制限に続き、または、あらかじめ定義した最大ホップカウント（または距離）に達したとき、各ノードはそのようなメッセージを中継しないようプログラムされる。
【００６８】
この処置の結果は、センサーノードの設置スペースまたは環境中でのすべての所定位置が、その位置の占有性（もし占有されていれば）および他の位置の占有性（もし占有されていれば）を表す短距離無線信号を、一般的に含むこと（占有者が存在すると仮定して）である。また、１つ以上の位置における占有性を表す所定位置の無線信号は、また、所定位置から１つ以上の他の位置へのそれぞれの距離を示す情報を含む。記載された実施例において、この情報は、占有性を検出したセンサーノードからの無線通信ホップの数を表すホップカウントの形態をとる。しかしながら、上述したように、他のメリットが他の実施例において用いられることは、当業者にとって明らかである。
【００６９】
各センサーノードが、それらのメッセージが異なる占有性を表していても実際同じ占有性を表していても、異なるホップカウントまたはそのノードからの有効な距離を表すことを意味する多数の占有メッセージを受信することは、上述した記載から明らかである。（例えば、占有メッセージを直近のノードに送信したノードは、その近隣のノードから同じ占有メッセージを事実上再び受信するが、その場合ホップカウントを増加させます。）
【００７０】
通常、それがどのようにしてノードの制御装置が構成されているかに依存するとしても、異なる距離またはホップカウントでの多数の占有性を表す占有情報を受信するセンサーノードは、受信したメッセージ中で最も低いホップカウントより大きいホップカウントを有する（あるいは同等に最も小さい距離よりも大きい距離を有する）メッセージを放棄または無視する。他の方法として、各新しく生成された占有メッセージは名目上特定の識別子（例えば乱数）を含むことができ、同じ占有事象を表すメッセージは、同じ占有事象がすでに受信された場合、無視される。同様に、占有性を検出したセンサーノードは、一般的に、受信した占有メッセージを無視するよう構成することができる。一般的に（必然的ではないが）、すべてのより近い占有検出性がより離れた位置での占有性に優先する。
【００７１】
いくつかの実施例において、センサーノードは、最も近いことが必要ではない他のセンサーノードにおける占有性に関する情報を保持および中継するよう構成される。例えば、センサーノードは、１ホップカウントだけ離れた占有性を表すメッセージを受信することができる。受信の直後に、それは３ホップ離れた占有性を表すメッセージを次に受信する。受信センサーノードは、この占有情報を蓄積および集計するよう構成でき、それはスペース内の占有性のより詳しいピクチャーを生成するために使用される。これは、最も近い占有者にどれだけ近いかを単に知る各センサーノードよりも、全体スペースを通しての占有性を理解できることを意味する。
【００７２】
このような方法で構成されると、所定位置（すなわち、センサーノード）で（無線信号の形で）利用可能な占有情報は、占有者がその位置にどれだけ近いかについてのリアルタイム情報、および／または、どれだけ最近占有性が少なくとも１つの所定距離の分離または位置／ノードからのホップ数で検出されたのかについての占有プロファイル、を表している。これが意味することは、有効に占有メッセージを受信するセンサーノードが、所定時間にそこにだれがどのように近づいたかを知ることである（整数量子化された分離（すなわちノードの数）の観点で、あるいは、（連続）距離として評価した場合のセンサーノード間のスペース距離の解像度内で）。
【００７３】
センサーノードのシステムまたはアレイは、希望領域全体にわたる検出範囲を提供するために必要とされるだけの、１つの同一装置、センサーノードの多数のもののみを必要とする。オーストラリア特許出願Ｎｏ．２０１２９０３４７１に記載されているように、センサーノードは、各アドレス、希望する場合は自己発生する特定のアドレスを有するよう構成されるが、センサーノードは同一とすることができ、特定のアドレスを必要としない。一旦設置されると、各センサーノードはその１つ以上の隣接するセンサーノードと通信をとり、アドホックピアツーピア無線ネットワークを効果的に形成する。システムのアーキテクチャは、好ましくは拡張性があり、単純に製造でき、一般に特定の場所のためのデザインやプログラミングの必要性を排除することであり、先行技術のシステムとは違って、システムを互いに接続するための外部インフラの要求がない。通常の設置は、多くのオフィスで見つかるような現存する照明設備である照明設備とともにあるいはその内部に搭載されたセンサーノードの１つ以上の長方形アレイを含む。しかしながら、いくつかの実施例において、センサーノードは、照明設備のアレイとは完全に独立のそれら自身のアレイを形成できる。また、いくつかの設置では、関連した光源を有さない比較的少数のセンサーノードが、（無線信号によって）相互接続あるいは分離する光および／または照明ゾーンによって、照明グリッド中のギャップを埋めるために役立つ。
【００７４】
通常、各センサーノードは、自分自身の占有センサーから利用可能な占有情報および近隣のセンサーノードから受信した占有メッセージに従い照明器具／設備中の光を制御するよう構成されたセンサーノードを有する、対応する照明器具または照明設備の他の形状のハウジング内に搭載され、光センサーを含むセンサーノードの場合、周辺光レベルの情報は、日光の調光を提供するとともに、照明器具からの光出力をモニターする。現存の集中照明制御システムと比較して、光は、単に、誰かが承継器具にどの程度近くにいるかに応じて、事前に構成した方法で応答する（この振る舞いは、望むならば、例えばｐ２ｐ構成特許出願に記載されているように変更することができる）。
【００７５】
例えば、ある典型的なノード構成において、センサーノードがそのそばに（あるいは、より正確には、その検出領域に）誰かがいることを検出すると、センサーノードは利用可能な照明パワーの１００％を適用し（これはリモート制御の１回の押す操作で変更または「調光」されるかもしれないが）、占有者の周りの直近の光は５０％の照明強度にセットされ、そして全体フロアー上のそれら以外の他の光は２０％の照明強度にセットされる。このようにして、相対的に高照明の領域が占有者が位置を変えるとそれに従って移り、それにより、各占有者の周りに相対的な高照明の領域を維持しつつ、非占有の領域における照明を減少させることにより、電力消費を減少させている。このことに加えて、各センサーノードは、それがどのように操作されるかを決定する複数の事前定義またはユーザー定義された「状態」のなかで選択された１つに従って操作するよう、選択的に構成される。例えば、開かれたオフィスの光は上述したように振る舞うことができるが、廊下に沿った光や駐車場を通り抜ける私道の光は、入ってくる占有者の前を照明するよう構成される。同様に、非常口への通路に沿って位置するノード／光は、そのフロアーに少なくとも１人の占有者がいれば、１００％の照明強度で残るよう構成される。これは、すべて、例えばｐ２ｐ構成特許出願に記載されているように、無線リモート制御を使用して、対応する構成コマンド／データをセンサーノードに送ることによって構成される。
【００７６】
上述したように占有情報を表す無線信号は、対応するタイプの無線受信機を有するいかなる装置またはシステムによって受信され、その装置またはシステムの要求通りそれ自身の操作を制御するために使用される、図２に示すような、「占有情報クラウド」２０２を構築するものと考えられる。すなわち、それら個々の光源を制御するために照明システムのセンサーノードによって使用される（占有検出および距離を表す）占有情報は、共通または集中制御アドレス指定可能な装置およびシステム（この明細書において「アドレス指定可能」は、共通制御システムへの有線接続を有する構成要素、あるいは、アドホックまたはピアツーピアで共通制御システムによって制御される有線または無線ネットワーク上のネットワークアドレス、を参照する）を含む、どのようにして操作するのかについてのそれら自身の決定を伝達する他のシステムおよび／または装置によっても使用される。これらの他の装置およびシステムは、照明システムのセンサーノードおよび／または上述したような同じタイプの更なるセンサーノード、および／または、センサーノード（および／または他のノード／装置）から無線信号を受信し、単独あるいは他の情報／データと組み合わせて、受信した無線信号に基づき、制御信号および／または電力を出力するよう構成された無線受信機を有する他のタイプのノードまたは制御装置を使用して制御される。また、センサーノードによって形成されたアドホックネットワークは、無線インターフェースを有する他の装置へのおよび／または他の装置からのメッセージの転送に使用され、アドホックワイヤレスネットワークはネットワークの中でもより大きなネットワークのひとつである。
【００７７】
特に、上述した、ｐ２ｐ特許出願および／またはｐ２ｐ構成特許出願のセンサーノードの制御装置は、光源以外の装置を制御するために使用される。そのようなセンサーノードは、天井取り付けセンサーノードに加えて提供され、そのため、天井の上に位置する必要はない。また、使用目的によっては、センサーは必要なく、送信機は必要なく、または、これらの構成要素のいずれかである必要はない。従って、いくつかの実施例において、受信ノードは無線受信機および制御装置のみを必要とし、ここで制御装置は１つ以上のセンサーノードから受信した無線信号に基づいて対応する装置を制御するよう構成可能である。
【００７８】
照明の制御と同様に、占有性に基づき、他のタイプの装置および／または装置を制御する能力は、これらの装置および／またはシステムを止めることによって、または、例えばこれらの装置の周りの領域が所定の時間間隔の間空いているときに−それらを低消費電力状態に置くことによって、消費電力を減少させるために使用される。この形態の制御は、消費者の装置に接続されたおよび／または電力を供給するスタンドアロンの装置として実行され、あるいは、消費者の装置内に統合された構成要素とすることができる。
【００７９】
例えば、そのような制御装置を有するプラズマテレビは、誰かが１０分以上１５ｍより離れたらすぐに、オフ状態に切り替えるか低電力状態にし、手動でスイッチオン（例えば、テレビのリモートコントロールによって）にしたとき、あるいは、誰かが例えば５ｍ以内にいるとき自動的に、再びオン状態に戻るよう構成される。この形態の装置は、無線（例えば赤外線）受信機および制御装置のみを必要とし、すなわち、無線送信機を必要としない。（テレビを含む）いくつかの装置は、すでに、適切なハードウェア構成要素（例えば、無線受信機およびマイクロプロセッサ制御構成要素）を含み、ここに記載されたように構成される必要のみがある。どんな場合でも、センサーノードと同様に、そのような装置は、要望通り、それが受信する占有情報に応答するよう構成される。
【００８０】
多くのタイプの装置が、例えば以下を含むこの形態の制御から恩恵を得ることができる：
（ｉ）半田ごて、および他の工業設備；
（ｉｉ）総合消費者設備：アイロン、サンドウィッチメーカーなど；
（ｉｉｉ）テレビ、コンピュータのモニター；
（ｉｖ）シーリングファン、スタンドアロンの空調、ヒーター；および
（ｖ）コピー機
【００８１】
上で述べたように、そのようなノードまたは制御装置は、上述した例のいずれかに統合すること、および／または、制御信号を提供するようおよび／または装置への電力供給を制御するよう構成することができる。例えば、上述したようなノード／制御装置は、電源ソケット、配電盤、または、幹線電力をそこに接続された１つ以上の装置に選択的に提供する電力インターフェースの他の形態、の部分として統合され、それによって統合された装置は、受信した占有情報により、そこに接続したいかなる装置への幹線電力をオンまたはオフに選択的に切り替える。別の形態において、ノード／制御装置は、占有性に基づきこれらの装置を制御するために、ＩＲリモートコントロール信号をすぐ近くの装置に送るよう構成されたＩＲブラスター装置の一部である。別の形態において、ノード／制御信号は、占有性に基づきこれらの装置を制御するために、ＷｉＦｉ、ジグビー、ブルートゥースなどの少なくとも他の形態の無線信号をすぐ近くの装置に送るよう構成される。
【００８２】
上述したノードまたは制御装置の形態は、ここでは、それらは占有メッセージを表す無線信号を単に受信してそれら自身の信号またはメッセージを他のノードに送信しない点で、「能動」ノードまたは制御装置として参照される。これらの能動ノード／制御装置とは対照的に、ノード／制御装置の他の形態は、メッセージを他のノードに送信する無線送信機を含む。
【００８３】
空調システム
空調システムは、通常、１０−２００ｍ２のオーダーの範囲で多数独立して制御されるゾーンとして構成される。先行技術のシステムは、非占有領域の空調をしないことによってエネルギーをセーブする運動センサーを使用している。これは、しかしながら、異なるシステム（例えば、空調サーモスタットおよび／または端末装置に対しアドレス指定可能な照明システム）から、物理的位置のマップおよび運動センサーのアドレスを置き換える、空調システムに対し専用の運動センサーを事前に必要とする。また、アドレス指定可能な運動センサーの費用およびインフラの増加コストのため、従来のシステムでは、通常相対的にごく少数の運動センサーしかなく、レイアウトは、しばしばグリッド状ではなく、このマッピング処理を時間のかかるものとし、ミスしがちであり、オフィスのレイアウトが変わると再プログラムが必要となる。
【００８４】
これらの問題および複雑性は、センサーノードによって送信された占有情報を使用するサーモスタットまたは端末装置を提供することによって解消される。上述したノード／制御装置と同様に、サーモスタットまたは端末装置のそれぞれは、無線受信機および制御装置／マイクロプロセッサを含み、その対応する空調ゾーンの大きさについての情報とともに構成される。それらは、通常、空いている状態の予め設定した期間の後、対応する空調ダクトまたはユニットをオフに切り替えることによって、あるいは、加熱または冷却のセットバック温度に後退することによって、受信した占有情報（およびその不在情報）にどのように応答するかをそれら自身で決定するようプログラムされる。
【００８５】
ピアツーピア無線通信の使用に加えて、ノードは、また、それらが、上述したようなアドレス指定可能なシステムへおよび／またはシステムから、コマンドおよび／またはデータを送るおよび／または受け取ることを可能とする、アドレス指定可能なインターフェースを備えることができる。
【００８６】
共通または集中制御された照明制御システム
現存の共通または集中制御された照明制御システムは、機能性の大部分を供給するが、少なくとも上述した理由のため、これらのシステムの理解は、照明のための広域市場において正当化できない関連するコストおよび複雑性のため、市場の明白に最上級品に限られていた。現存の共通または集中制御された照明制御システムは、いずれも高価で複雑なシステムを構成するアドレス指定可能なネットワーク（「水面下」の装置の大部分とともに）上に、少なくとも各センサー、照明器具およびコントロールパネルを有する。
【００８７】
アドレス指定可能なインターフェースノードは、ここに記載されたセンサーノードのネットワークが、アドレス指定可能な照明システムなどのアドレス指定可能なシステムとのインターフェースを可能とする。アドレス指定可能なインターフェースノードは、無線アドホックネットワークへの通信インターフェースを構成する無線受信機（および通常必然ではないが無線送信機）を含むだけでなく、共通または集中制御システムのアドレス指定可能なネットワークとコンパチブルなアドレス指定可能な（第２の）インターフェースをも含む。要求により、ただ１つのアドレス指定可能なインターフェースノードがフロアー毎に要求される。アドレス指定可能なインターフェースノードは、そのため、アドレス指定可能な集中制御システムと分散ピアツーピアセンサーノードネットワークとを統合して、一般に、サイトの特定のデザイン、プログラミング、作動またはメンテナンスを必要としないアドホック無線ネットワークに複雑性の大部分を要約する、ハイブリッド中央制御／分散制御システムを形成する。そのようなハイブリッド制御システムのいくつかの別の例は、以下に記載される。
【００８８】
共通または集中制御のアドレス指定可能なシステムは、しばしば、例えばランプ点灯時間、壊れたランプ、安定寿命などの診断情報（例えば、照明システム中の安定器からの）を収集する。この情報は、安定器から簡単に収集でき、センサーノードによってユーザー／管理者に直接連絡でき（例えば、可視指示器を介して、あるいは自動的に、または問い合わせコマンドに応じて）、または、無線ピアツーピアネットワークを横断して、適当な警告／メッセージを発する集中制御システムに連絡できる。
【００８９】
占有性および他の情報のマッピング
現在、オフィス市場内で、オフィスのスペースをより有効に使用する傾向がある。この一例は、「ホットデスキング」を実行する要求の高まりであり、それによって、複数のワーカーが、異なる時間帯に、単一の物理ワークステーションまたは作業面を使用する。ホットデスキングは、例えばセールスチームなどオフィスの散発的使用をするタイプのオフィスワーカーにとって特に有効である。
【００９０】
しかしながら、ホットデスキングの要求の計画および最適化は、複雑で、占有性データの収集に頼っている。ここに記載されたセンサーノードによって提供されたリアルタイムの占有性の情報は、システム（例えば、ＢＭＳ、アドレス可能な照明制御システムまたは他の専用システム）によって、収集されて記録される。
【００９１】
ホットデスキングオフィス組織システムを効果的に実行することは、リアルタイムの占有データにアクセスすることを必要とし、カンファレンスルーム、ブレイクアウト領域などの使用を必要とするオフィス内の空いた領域に人々を導くことができる。これは、特定領域内に共存するあるチームのための要求を特に考慮する複雑なプロセスである。システムのメンテナンスおよび記録のためのデータを収集するシステムまたは構成要素は、専用の占有センサーまたはシステムをインストールすることなく、占有情報へのアクセスを良好にするため、センサーノードによって送信された無線信号を受信して処理する。
【００９２】
一例において、少なくとも３つのアドレス指定可能なインターフェースノードが、図５において線図的に示されているように、オフィスビルのフロアー上のオフィススペースにおいて既知の互いに間隔を空けた位置にインストールされる。ノードの既知の「位置」は、絶対的あるいは相対的であり、それらの絶対的位置またはそれらの相対的な空間的隔離を測定することにより手動で、あるいは、ＧＰＳおよび／または三角測量によって自動的に、互いにおよび／またはセンサーノードと通信する無線ネットワーク送信機に対し、決定される。少なくとも３つのアドレス指定可能なインターフェースノードに加えて、オフィススペースは、それぞれが対応する無線送信機および受信機（通常、無線トランシーバー構成要素の形態で）を有する、互いに間隔を空けたセンサーノードを含む。
【００９３】
インストールに続き、図６のフロー図に示されているように、コマンドがセンサーノード（ｐ２ｐ構成特許出願に一般的に記載されているように）に発行され、各センサーノードは、対応する名目上一意的な識別子を生成し、次にノードのその識別子を含むメッセージを生成し、そのメッセージを、無線送信機を介して近隣のセンサーノードに送る。これらのメッセージを受信するノードは、各メッセージに含まれるホップカウント（あるいは同等のもの）をインクリメントする、ｐ２ｐ特許出願およびｐ２ｐ構成特許出願に一般的に記載されているように、順にそれ自身の近隣のノードに受信したメッセージを転送するよう（できるだけ一時的に）構成されている（ホップカウントが基本的に同じ時に受信された同様のメッセージ、すなわち、それらの状況下で通常送られるメッセージ、より大きいとき）。結局、これらの転送されたまたは中継されたメッセージは、その位置が知られている、少なくとも３つのアドレス指定可能なインターフェースノードによって受信される。これらのアドレス指定可能なインターフェースノードは、アドレス指定可能なネットワークを介して、共通制御システムの共通プロセッサーと接続される。アドレス指定可能なインターフェースノードのそれぞれは、センサーノードのおおよその位置を決定するため、アドレス指定可能なインターフェースノードの既知の位置とともに、その情報を処理する共通プロセッサーに、受信したメッセージのペイロード（すなわち、受信したノード識別子およびそれら個々のホップカウント）を転送する。
【００９４】
このようにして、共通制御システムは、オフィススペース内のセンサーノードの空間位置を決定し、それらのノードの位置を示す物理的マップを生成できる。この情報およびマップは、オフィススペース内のどの位置が占有されていてどの位置が非占有なのかを決定するために、更新時に生成された占有情報と連動して使用される。
【００９５】
同様に、この方法は、要求に応じてあるいは定期的に、その位置が固定されていない、ノードの空間位置（およびそれらに関連するアイテム、通常、センサーノードの場合装置およびシステム）を決定するために使用される。これは、例えば、製造中または組み立て中の製品、モバイルロボット、在庫品目、人員などのアイテムのリアルタイム位置を決定するために使用される。
【００９６】
セキュリティー／警告システム
省力化の適用に加えて、センサーノードは他の目的のために使用される。例えば、センサーノードによって生成された占有情報は、オフィスまたはビルのセキュリティーを提供するために使用される。いくつかの実施例において、ハイブリッドセキュリティーシステムは、ここに記載された自律（または少なくとも擬自律）無線ピアツーピアセンサーノードを、共通または集中制御アドレス指定可能なセキュリティー構成要素と組み合わせる。ハイブリッドセキュリティーシステムはそのため占有情報にアクセスでき、そのことは追加の運動センサーを必要としないことを意味する。センサーノードは、ｐ２ｐ構成特許出願に記載されているように、対応するピアツーピアネットワーク（例えば、オフィスまたはフロアー）中のすべてのセンサーノードがセキュリティーモードになるまで、メッセージを他の近隣のセンサーノードに中継するセンサーノードの各々とともに、セキュリティーモードに入るために指令を近隣のセンサーノードに送信する、アドレス指定可能なインターフェースノードの送信機によって、セキュリティーモードにすることができる。一旦セキュリティーモードになると、占有情報はセンサーノードによって１つ以上のアドレス指定可能なインターフェースノードに中継され、占有の検出が、対応するアドレス指定可能な受信機のアドレスと共に、システムの集中化されたセキュリティー構成要素に送られ、それによりオフィスまたはビル内のおおよその占有位置を示す。アドレス指定可能なインターフェースノードは要望どおり分布することができ；例えば、オフィスまたはフロアー毎にただ１つのアドレス指定可能なインターフェースノードとすることもでき、または、オフィスまたはフロアー毎に複数のアドレス指定可能なインターフェースノードとすることもできる。アドレス指定可能なインターフェースノードのいずれもが無線送信機を含むことは必要である。
【００９７】
また、ハイブリッドセキュリティーシステムはそのような検出に応答して光を制御するためのセンサーノードを使用することができ、例えば、無線ピアツーピアネットワークに沿ってストロボコマンド信号を送信または中継することによって、可視警告指示器として光をストロボ状に点滅して使用する。当業者にとって、侵入者の検出に応じて多くの利用可能な異なる方法で光を制御できることは明らかである。例えば、ビルのあるフロアーへの侵入者の検出は、その検出を侵入者に警告することなく、ビルの外のオブザーバー（例えば、セキュリティーまたはポリス）に、侵入者の検出とおおまかな位置を示すよう、フラッシュあるいは他の方法で１つ以上のフロアーの光を制御する。
【００９８】
同様に、領域が退避させるべきものである場合（例えば、火災警報、爆弾の脅威、地震の警報、などの事象のため）、セキュリティーシステムは、１つ以上のアドレス指定可能なインターフェースノードに、退避状態に入るよう指示する。それに応じて、送信機を備える各アドレス指定可能なインターフェースノードは、近隣のセンサーノードに無線信号を送信し、それらに警告状態に入るよう指示する。上述したセキュリティーモードと同じように、各センサーノードはそれらのメッセージを他のセンサーノードに中継し、アレイ中のすべてのセンサーノードは退避状態に入る。退避メッセージの転送に加えて、各センサーノードは、また、その構成／プログラミングに従って応答する。例えば、非常出口に沿って配置されたセンサーノードは、１００％の照明強度を提供するよう構成され、それにより、他の光は、人が出口方向への道を見つけるのを助けるため、低いパワーで操作される。
【００９９】
ビル管理システム（ＢＭＳ）における空気品質制御
ＢＭＳのコア機能は、望ましい室温を達成するため加熱および冷却の混合を制御するとともに、占有者によって放出されたＣＯ２の適当は排気を提供するため、外部空気の量を制御することである。これを制御するために最もエネルギー効率の良い方法は、ＣＯ２センサーを介して、需要−制御した換気を提供することである。しかしながら、ＢＭＳにすべての空気品質センサーをインストールおよび接続することは費用がかかり、その結果、フレッシュエアーレベルが実際の占有者に対し要求されるものより高くセットされると、過剰のエネルギーが消費されるという結果を伴って、多くのシステムは最少レベルのフレッシュエアーのセットを使用し、最大数の占有者が存在して最も多くのフレッシュエアーが必要なとき、不十分なフレッシュエアーが時々提供される。
【０１００】
図２に示すように、これらの欠点に対応するために、ＣＯ２センサーがセンサーノード２０４のいくつかあるいは全てに含まれ、これらのＣＯ２センサーによって発生したＣＯ２レベル情報は、ＢＭＳ２０５に接続された１つ以上のアドレス指定可能なインターフェースノードによって受信されるまで、センサーノードからセンサーノードへ中継され、それによってハイブリッドのアドレス指定可能／不可能ＢＭＳを構成する。そのため、図２において、１人の占有者２０６がある領域に存在し、その領域の空気品質は近隣のセンサーノード２０８のＣＯ２センサーによって送られ、対応する信号は、近隣のエアーダクト２１０を制御するためにＢＭＳ２０５に送られ、その領域内に比較的低いエアーフローを提供する。これに対し、比較的大きな占有者グループ２１２周辺の領域は、対応する信号を中継してＢＭＳ２０５の近くにあるダクト２１４から比較的高いエアフローを提供させる、近くのセンサーノード２０４のＣＯ２センサーによって検出されるような高レベルのＣＯ２＞を有する。
【０１０１】
同様に、煙検出器はセンサーノードの少なくともいくつかに含ませることができ、センサーノードが火災が存在すると判断したとき、火災警報信号は、ネットワークを介して、集中型の火災警報器をトリガーするのと同じ方法で、アドレス指定可能なインターフェースノードに送られる。
【０１０２】
キルスイッチ
占有者が施設を離れるときいくつかの装置のスイッチオフをし忘れ、装置が次の日まであるいはそれ以上の間無意識にオンのままとなる時がある。装置をオンのままにすることは、電気の浪費や、不良が装置または配線で進展したときの火災の不必要なリスクとともに、装置の寿命を短くしてダメージを発生しかねない装置の過熱、を含むいくつかの不利益をもたらす。
【０１０３】
図３に示すように、キルスイッチ機能は、ユーザー３０２が、壁面スイッチまたはリモートコントロールボタン３０４を１度押すことにより、ネットワークのセンサーノードおよび／または他のノードによって制御されたすべての装置のスイッチをオフにすることを許可する。結果として生じるキルまたはシャットダウンメッセージは、リモートコントロールが起源である無線信号３０６の形態で少なくとも１つのセンサーノードに送信され、続いて、ｐ２ｐ構成特許出願で記載されているように、センサーノードネットワーク全体に中継される。このコマンドを受信すると、各ノード３０８の制御装置は、ノードがどのように構成されているかによって、それらをシャットダウンするか、短い遅れ時間（例えば２０秒）のあと少なくとも低電力状態に入るように、関連する光源３１０または他の装置／システム３１２、３１４、３１６を制御する。また、センサーノードは、キルコマンドを効果的にキャンセルする未検出の占有者に対し機会を与えるために、遅れ期間の終了から第２の短い期間（例えば５秒）内に占有者が検出された場合は、キルまたはシャットダウンメッセージを無視またはキャンセルするように、付加的に、プログラムされる。
【０１０４】
インターネットゲートウェイ／壁面スイッチ
ネットワークのセンサーノードおよび他のノードによって形成された無線ピアツーピアネットワークとの通信は、比較的単純なリモートコントロール（片方向通信のため）、または、アドレス指定可能でおよび／または双方向通信をサポートするより複雑なインターフェースノードを含むことによって、提供される。図４に示すように、インターフェースノードは、壁面取り付けタイプ４０２または手持ちのポータブル装置とすることができる。それは、無線送信機を含み、付加的に双方向通信をサポートするため無線受信機を含み、インターフェースノードは、センサーノードネットワーク（およびそこに接続された装置／システム）にコマンドを送信でき、付加的に、センサーノードネットワークからすいてーたすおよび他の情報を受信できる。
【０１０５】
ライトの消灯、空調の停止、ＴＶの停止およびすべてのスイッチオフ（上述したキルスイッチの場合と同様に）などのコマンドは、インターフェースノード４０２内にプログラムされ、センサーノードのピアツーピアネットワークを介して関係する装置に送信されたこれらのメッセージは、照明、空調およびテレビのための無線ユーザーインターフェースを生成する。これは、ノードが制御している装置のタイプを特定する装置データとともに各装置制御ノードを構成することによって達成される。ノードが「スイッチオフ」コマンドを受信すると、コマンドは停止すべき装置のタイプの対応する識別子を含み（またはその代わりに装置タイプ特定コマンドを受信することもできる）、それはそれに関連する装置が対応するタイプかどうかを決定し、もしそれが対応するタイプであれば、ノードはその関連する装置をオフにする（あるいはオンにするか、それに代わり対応するコマンドに従って制御される）。
【０１０６】
いくつかの場合、ステータスを取得すること、または、遠く離れた位置から装置／システムを制御することが望ましい。例えば、加熱は人間がその施設に到着する前にＯＮにすることができる。これらの機能は、インターフェースノードが、第２のネットワークインターフェース、一般的には有線または無線ＩＰネットワークインターフェースを含むインターフェースノード４０２によって提供される。例えば、図４の実施例に示されているように、インターフェースノード４０２は、ピアツーピア無線ネットワークでの通信のための赤外線（ＩＲ）無線インターフェースと、インターネットなどの広域通信ネットワーク（ＷＡＮ）４０６へのゲートウェイ（通常モデム／ルーター４０４）を有するローカルインターネットプロトコル（ＩＰに対する第２（例えばＷｉＦｉ）インターフェースと、を含んでいる。これは、離れた位置のユーザーによってインターフェースノード４０２に送られた（コンピュータ４０８や手持ちサイズの装置を介して）コマンド（ステータス要求を含む）を許可し、空調システム３１６などの装置／システムが離れた位置で制御可能となる。
【０１０７】
ある例において、配電網や蓄電池群やディーゼル発電機などのローカル電力システムでのピーク負荷を管理するために、インターフェースノードはユーティリティを提供する機器（あるいはより一般的にはスマートグリッド）からメッセージを受信し、要求反応（または負荷遮断）メッセージを送り、関連するピアツーピア無線ネットワークの無線センサーノードによって制御された、１つ以上の装置（または１つ以上の装置のタイプ）を、低電力状態とする。
【０１０８】
リフト制御
リフトおよびリフトシャフトは、ビルのかなりのフロアースペースを占め、特に構想ビルにおけるそのパフォーマンスは、占有者からの要求に応じていかに速やかにリフトが到着するかの観点で、占有者の快適性のうえで有意な効果を有している。多くの高級リフト制御システムは、占有者からのコールに対するリフトの応答性を改善するため、スタンバイ状態のとき、リフトモーターを「静止」状態に保つ。しかしながら、この静止状態は、リフトモーターとして多大なエネルギーを消費し、関連する制御システムは基本的に常に電力供給された状態である。
【０１０９】
これらの問題を軽減するため、少なくとも１つのインターフェースノードは、各リフトロビーにピアツーピア無線ネットワークの他のノードと通信して配置され、それによって、リフト制御システムに提供されるべき詳細な占有者情報を可能とし、その結果、エネルギー効率とリフト応答性の点で著しい改善が可能となり、要求されるリフトの数をより少なくすることができる。インターフェースノードは、標準の運動センサーが検出するより多く、リフトロビー内の占有者の存在を検出することができ、ピアツーピア占有メッセージが、誰かが近づいていることを示す、占有者からの受信ノードの分離の減少を示すとき、リフトロビーに近づく占有者を効果的に「見る」ことができる。例えば、インターフェースノードは、例えば７、６、５、４、３、２および１のノード分離を示すメッセージを受け取り、占有者がリフトロビーに入ったとき、直接占有者自身を検出できる。ある実施例において、インターフェースノードが（４ノードのスペースの分離を示す）「レベル４」メッセージを受信すると、インターフェースノードは、そのため、リフトを呼ぶが、さらに所定時間間隔内にメッセージが受信されなければ、リフト要求をキャンセルする。
【０１１０】
また、当業者に高知の標準的な学習アルゴリズムは、経験に基づいてリフトのパフォーマンスを最適化するために使用され、各設備に特定のものである。例えば、上述した「レベル」（すなわち分離）の減少が進行していることを表す受信したメッセージは、通常、リフトを呼ぶためにボタンを押すことになる。しかしながら、そのようなメッセージの「進行」はボタンを押す結果とはならない。受信したメッセージ（およびボタンプレス）の間の時刻および遅延を含む、メッセージの進行およびボタンプレス（またはボタンプレスなし）の各「事象」のデータを蓄積することによって、詳細な統計値が、与えられたメッセージの進行がボタンプレスの結果となる確率を含む、各特定のリフトに対し発生する。フロアーおよびリフトロビーは、受信した占有データに基づき、いつリフトが呼び出されるべきかを最適化するために、特に同じフロアー内におけるリフトロビーの通路としての使用を阻止または防止するため、この機能を中心に設計される。
【０１１１】
多くの変更は、本発明の範囲から逸脱しない範囲内で、当業者にとって明らかである。
【図１】
2016502308.tif 000003
【図２】
2016502308.tif 000004
【図３】
2016502308.tif 000005
【図４】
2016502308.tif 000006
【図５】
2016502308.tif 000007
【図６】
2016502308.tif 000008
【国際調査報告】
2016502308.tif 000009
2016502308.tif 000010
2016502308.tif 000011